(57)【要約】【課題】機器の使用用途を広げることができつつ、誤動作を防止することができる携帯機器を提供する。【解決手段】携帯電話機１は、第１の筐体２とヒンジ部３とが回動軸５を介して回動自在に設けるとともに、ヒンジ部３と第２の筐体４とが回動軸５と略直交する回転軸６を介して回転自在に設ける。また、第１の筐体２が、携帯電話機１が閉じられたときに閉塞される面に、第１の機能ボタン群１１を配置する。さらに、携帯電話機１は、ヒンジ部３に対する第２の筐体４の回転状態を検出する状態検出部４９を備えるとともに、第１の機能ボタン群１１に含まれる操作キーの有効／無効を、状態検出部４９の検出結果に応じて切り替える主制御部５０を備える。【選択図】図１
2005277627.tif 000002
【特許請求の範囲】
【請求項１】
第１の筐体とヒンジ部とが回動軸を介して回動自在に設けられるとともに、前記ヒンジ部と第２の筐体とが前記回動軸と略直交する回転軸を介して回転自在に設けられる折り畳み型の携帯機器において、
操作キーと、
前記ヒンジ部に対する前記第２の筐体の回転状態を検出する状態検出部と、
前記状態検出部の検出結果に応じて前記操作キーの有効／無効の切替制御を行う制御部とを設け、
前記第１の筐体は、前記第１の筐体と前記第２の筐体とが対向して閉じられたとき閉塞される面に、前記操作キーを含む第１の機能ボタン群を配置したことを特徴とする携帯機器。
【請求項２】
前記制御手段は、前記状態検出手段によって回転の開始が検出されたとき、前記操作キーを有効から無効に切り替え、前記状態検出手段によって回転の終了が検出されたとき、前記操作キーを無効から有効に切り替えることを特徴とする請求項１記載の携帯機器。
【請求項３】
前記第１の筐体は、前記第１の筐体と前記第２の筐体とが対向して閉じられたとき閉塞されない面に、前記操作キーを含む第２の機能ボタン群を配置したことを特徴とする請求項１記載の携帯機器。
【請求項４】
前記第２の筐体は、前記ヒンジ部との連結面に略直角を成す少なくとも一つの面に、前記操作キーを含む第３の機能ボタン群を配置したことを特徴とする請求項１記載の携帯機器。
【請求項５】
前記第２の筐体は、前記第３の機能ボタン群が配置された面に、表示部を配設したことを特徴とする請求項４記載の携帯機器。
【請求項６】
前記第２または第３の機能ボタン群に含まれる前記操作キーは、前記第１の機能ボタン群に含まれる前記操作キーの機能を割り当てたことを特徴とする請求項３または請求項４記載の携帯機器。
【請求項７】
前記第１の筐体は、前記第１の筐体に対して前記ヒンジ部を回動させたときに、回転途中にある前記第２の筐体が当接する部位に第１の緩衝部材を備えたことを特徴とする請求項１記載の携帯機器。
【請求項８】
前記第１の緩衝部材は、前記ヒンジ部が連結される端部の端面に配置したことを特徴とする請求項７記載の携帯機器。
【請求項９】
前記第２の筐体は、前記第２の筐体が回転途中にある状態で、前記第１の筐体に対して前記ヒンジ部を回動させたときに、前記第１の筐体と当接する部位に第２の緩衝部材を備えたことを特徴とする請求項１記載の携帯機器。
【請求項１０】
前記第２の緩衝部材は、前記ヒンジ部が連結される端部の角部に配置したことを特徴とする請求項９記載の携帯機器。
【発明の詳細な説明】
【技術分野】
【０００１】
この発明は、一般的には、携帯機器に関し、より特定的には、２つの筐体が回動可能に取り付けられて構成される携帯機器に関する。
【背景技術】
【０００２】
従来、ヒンジを介して２つの筐体が開閉自在に連結された折り畳み型の携帯電話機が広く普及している。このタイプの携帯電話機では、一般的に、一方の筐体に表示部やレシーバ等が設けられ、他方の筐体には、操作ボタンやマイク等が設けられている。さらに最近になって、互いに独立して回転する２つの回転軸を備えた折り畳み型の携帯電話機が販売され始めている。図１８は、従来において、２つの回転軸を備えた折り畳み型の携帯電話機の開いた状態を示す斜視図である。図１９は、図１８中の携帯電話機の閉じた状態を示す斜視図である。図２０は、図１９中の矢印Ａから見た携帯電話機を示す斜視図である。
【０００３】
図１８から図２０を参照して、携帯電話機１０１は、表面１０３ａを有する筐体１０３と、筐体１０３に対して矢印１５１に示す方向に回動可能に設けられた筐体１０７および１０８と、筐体１０３内に収容された図示しないカメラ部とを備える。筐体１０７の内部には、筐体１０３と筐体１０７とを回動可能に連結し、筐体１０７と筐体１０８とを回転可能に連結する図示しないヒンジ装置が収容されている。
【０００４】
筐体１０３には、ヒンジ装置側端部において、表面１０３ａの両端部に、表面１０３ａから突出するヒンジ支持部１０４ｍおよび１０４ｎが形成されている。ヒンジ支持部１０４ｍおよび１０４ｎは、互いに距離を隔てて設けられている。表面１０３ａ上のヒンジ支持部１０４ｍとヒンジ支持部１０４ｎとの間には、筐体１０７が位置決めされている。ヒンジ支持部１０４ｍおよび１０４ｎと筐体１０７とが、筐体１０７内に収容されたヒンジ装置によって連結されている。
【０００５】
筐体１０３の表面１０３ａには、複数の操作ボタン１１８が設けられており、表面１０３ａの反対側に位置する筐体１０３の表面１０３ｂには、スピーカ１２２が設けられている。表面１０３ｂに対して段差をもって形成された表面１５３には、カメラ部の撮影レンズ１１４が露出している。撮影レンズ１１４は、携帯電話機１０１を開いた状態において、筐体１０８と隣り合う位置に設けられている。カメラ部は、表面１０３ａと表面１５３との間に挟まれた筐体１０３内の空間に配置されている。筐体１０８の表面１０８ａには、表示部１１６が設けられている。
【０００６】
図２１は、図１８中のメイン表示部が設けられた筐体を回転させた場合の携帯電話機を示す斜視図である。図２１を参照して、筐体１０８は、筐体１０７に対して矢印１５２に示す方向に回転可能に設けられている。これにより、表示部１１６が設けられた表面１０８ａを適当な方向に向けることができる。
【０００７】
また別に、開放状態及び閉塞状態に拘わらず操作キーの操作を可能にして操作性の向上を図ることを目的として、主操作キーが設けられた第１の筐体と表示部が設けられた第２の筐体とを設け、第１の筐体と第２の筐体とを２つのヒンジ軸を有するヒンジ部を介して折り畳み可能とし、ヒンジ部に第１の筐体と第２の筐体を折り畳んだ状態において操作可能な副操作キーを設けるようにしたモバイル情報端末機器が、特開２００３−２２９９４１号公報に開示されている（特許文献１）。
【０００８】
さらに別に、折り畳み状態でも、文字または画像情報を利用可能として取り扱い性に優れた折り畳み式携帯端末装置を提供することを目的として、数字キーを備えた第１の入力部とファンクションキーを備えた第２の入力部を備えるとともに、第１の入力部と送話器を含む第１の筐体と、表示部と第２の入力部と受話器を含む第２の筐体とに分割し、かつ第１の筐体と第２の筐体とを、ヒンジ部で折り畳み自在でかつ回動自在に連結するようにした折り畳み式携帯端末装置が、特開２００１−２５１４０６号公報に開示されている（特許文献２）。
【特許文献１】特開２００３−２２９９４１号公報
【特許文献２】特開２００１−２５１４０６号公報
【発明の開示】
【発明が解決しようとする課題】
【０００９】
前述のような２つの回転軸を備えた折り畳み型の携帯電話機では、表示部を内面に閉塞した状態および外面に露出した状態で折り畳むことができる。そのため、持ち運び時における表示部の傷つき防止を図りつつ、携帯電話機を閉じた状態で表示部を使用することができる等、機器の使用用途を広げることができる。しかし、第１および第２の筐体の回動途中で第２の筐体を回転させたり、第２の筐体の回転途中で第１および第２の筐体を回動させると、第１および第２の筐体が互いに接触する。そのため、第１の筐体に設けられた操作キーが第２の筐体によって操作されてしまう。これにより、ユーザが意図せずに機器が動作してしまう等の問題が発生する。
【００１０】
そこで、本発明の目的は、前記問題を解決することであり、機器の使用用途を広げることができつつ、誤動作を防止することができる携帯機器を提供することである。
【課題を解決するための手段】
【００１１】
前記目的を達成するために、本発明は、第１の筐体とヒンジ部とが回動軸を介して回動自在に設けられるとともに、前記ヒンジ部と第２の筐体とが前記回動軸と略直交する回転軸を介して回転自在に設けられる折り畳み型の携帯機器において、操作キーと、前記ヒンジ部に対する前記第２の筐体の回転状態を検出する状態検出部と、前記状態検出部の検出結果に応じて前記操作キーの有効／無効の切替制御を行う制御部とを設けるとともに、前記第１の筐体が、前記第１の筐体と前記第２の筐体とが対向して閉じられたとき閉塞される面に、前記操作キーを含む第１の機能ボタン群を配置する構成としたものである。
【００１２】
このような構成によれば、第２の筐体が回転途中にある状態で、第１の機能ボタン群に含まれる操作キーを無効にすることができる。そのため、第１および第２の筐体の回動途中で第２の筐体を回転させたり、第２の筐体の回転途中で第１および第２の筐体を回動させることで、第１および第２の筐体が互いに接触し、第１の筐体に設けられた操作キーが第２の筐体によって操作されても、携帯機器は動作しない。これにより、ユーザが意図せずに機器が動作してしまうことを防止することができる。
【００１３】
また、本発明は、前記構成に加え、前記制御手段が、前記状態検出手段によって回転の開始が検出されたとき、前記操作キーを有効から無効に切り替えるとともに、前記状態検出手段によって回転の終了が検出されたとき、前記操作キーを無効から有効に切り替えるよう構成したものである。
【００１４】
このような構成によれば、第２の筐体が回転途中にある状態で、第１の機能ボタン群に含まれる操作キーを確実に無効にすることができる。そのため、ユーザが意図せずに機器が動作してしまうことを確実に防止することができる。
【００１５】
また、本発明は、前述の構成に加え、前記第１の筐体が、前記第１の筐体と前記第２の筐体とが対向して閉じられたとき閉塞されない面に、前記操作キーを含む第２の機能ボタン群を配置する構成としたものである。
【００１６】
このような構成によれば、第２の筐体が回転途中にある状態で、第１の機能ボタン群に含まれる操作キーを無効に、第２の機能ボタン群に含まれる操作キーを有効にすることができる。そのため、第１の機能ボタン群に含まれる操作キーが第２の筐体によって操作されても、携帯機器は動作せず、第２の機能ボタン群に含まれる操作キーがユーザによって操作されたときに、携帯機器が動作する。これにより、ユーザが意図しない携帯機器の動作を防止することができつつ、携帯機器の操作性の劣化を抑制することができる。
【００１７】
また、本発明は、前述の構成に加え、前記第２の筐体が、前記ヒンジ部との連結面に略直角を成す少なくとも一つの面に、前記操作キーを含む第３の機能ボタン群を配置する構成としたものであり、特に、前記第２の筐体が、前記第３の機能ボタン群が配置された面に、表示部を配設する構成としたものである。
【００１８】
このような構成によれば、第２の筐体が回転途中にある状態で、第１の機能ボタン群に含まれる操作キーを無効に、第３の機能ボタン群に含まれる操作キーを有効にすることができる。そのため、第１の機能ボタン群に含まれる操作キーが第２の筐体によって操作されても、携帯機器は動作せず、第３の機能ボタン群に含まれる操作キーがユーザによって操作されたときに、携帯機器が動作する。これにより、ユーザが意図しない携帯機器の動作を防止することができつつ、携帯機器の操作性の劣化を抑制することができる。
【００１９】
また、本発明は、前述の構成に加え、前記第２または第３の機能ボタン群に含まれる前記操作キーに、前記第１の機能ボタン群に含まれる前記操作キーの機能を割り当てるよう構成したものである。
【００２０】
このような構成によれば、前記第２または第３の機能ボタン群に含まれる前記操作キーを用いて、第１の機能ボタン群に含まれる前記操作キーと略同一の機能を実行することができる。そのため、携帯機器を閉じた状態または第３の操作ボタン群が開放されるように携帯機器を閉じた状態において、携帯機器を開いた状態と略同様の機能を実行することができる。
【００２１】
また、本発明は、前述の構成に加え、前記第１の筐体が、前記第１の筐体に対して前記ヒンジ部を回動させたときに、回転途中にある前記第２の筐体が当接する部位に第１の緩衝部材を備える構成としたものであり、特に、前記第１の緩衝部材を、前記ヒンジ部が連結される端部の端面に配置する構成としたものである。
【００２２】
このような構成によれば、第２の筐体が回転途中にある状態で、第１の筐体に対してヒンジ部を回動させたとき、第２の筐体は第１の緩衝部材に当接する。そのため、第１の筐体と第２の筐体との当接に伴う第１および第２の筐体の傷つきや破壊を抑制することができる。
【００２３】
また、本発明は、前述の構成に加え、前記第２の筐体が、前記第２の筐体が回転途中にある状態で、前記第１の筐体に対して前記ヒンジ部を回動させたときに、前記第１の筐体と当接する部位に第２の緩衝部材を備える構成としたものであり、特に、前記第２の緩衝部材を、前記ヒンジ部が連結される端部の角部に配置する構成としたものである。
【００２４】
このような構成によれば、第２の筐体が回転途中にある状態で、第１の筐体に対してヒンジ部を回動させたとき、第２の緩衝部材が第１の筐体に当接する。そのため、第１の筐体と第２の筐体との当接に伴う第１および第２の筐体の傷つきや破壊を抑制することができる。
【発明の効果】
【００２５】
以上説明したように、本発明にしたがえば、機器の使用用途を広げることができつつ、誤動作を防止することができる。
【発明を実施するための最良の形態】
【００２６】
本発明の実施の形態について、図面を参照して説明する。
【００２７】
図１は、本発明の実施の形態における携帯電話機の開いた状態を示す斜視図である。図２は、図１中の携帯電話機の側面図である。図３は、図１中の携帯電話機の閉じた状態を示す斜視図である。図４は、図３中の携帯電話機の側面図である。図５は、図３中のＣ−Ｃ線上に沿った断面図である。図６は、図３中の矢印Ｂから見た携帯電話機を示す斜視図である。図１から図６を参照して、携帯電話機１は、カメラ機能を有する折り畳み型の携帯電話機であり、備える一方の筐体を表裏反転させることができるタイプの携帯電話機である。
【００２８】
携帯電話機１は、第１の筐体２と、第１の筐体２に対して回動軸５を中心に回動自在に連結されたヒンジ部３と、ヒンジ部３に対して回転軸６を中心に回転自在に連結された第２の筐体４とから構成されている。これら第１および第２の筐体２，４やヒンジ部３は、ＡＢＳ（Acrylonitrile Butadiene Styrene resin）やＰＣ−ＡＢＳ（Polycarbonate - Acrylonitrile Butadiene Styrene resin）等のプラスチック樹脂を材料として構成されている。
【００２９】
また、回動軸５と回転軸６とは互いに略直交するように設けられており、ヒンジ部３および第２の筐体４を回動軸５を中心に角変位自在に動かすことによって、携帯電話機１の形状は、図１および図２に示す開いた状態と図３ないし図６に示す閉じた状態との間で変化する。
【００３０】
図１ないし図６を参照して、第１の筐体２は、略矩形形状の表面７ａを有するベース部７と、表面７ａの所定位置から突出して形成されたヒンジ支持部８ａ，８ｂと、ヒンジ支持部８ａ，８ｂより突出して形成された回転抑止部９からなる形状を有する。表面７ａは、携帯電話機１を開いた状態で外側に面し、閉じた状態で内側に面する表面である。ベース部７は、表面７ａに対して略直角に連なり、表面７ａを挟んで互いに平行に延在する一対の側面７ｂ，７ｃ、および側面７ｂと側面７ｃを結ぶ端面７ｄ、ならびに表面７ａと相反する面となる裏面７ｅを有する。
【００３１】
表面７ａには、数字および文字を入力するためのキー等から構成される入力ボタン群１０と、携帯電話機１における各種設定／機能切替を行うための第１の機能ボタン群１１とが設けられている。これら入力ボタン群１０や第１の機能ボタン群１１のキートップ部は、ＡＢＳやＰＣ−ＡＢＳ等のプラスチック樹脂を材料として構成されており、さらに第１の機能ボタン群１１のキートップ部には、クロームメッキ等のメッキ加工が施されている。また、表面７ａには、ヒンジ支持部８ａ，８ｂが形成された部位から離れた位置、すなわちヒンジ支持部８ａ，８ｂが形成された端部側と反対側の端部に、回動軸５と平行に一対の凹部１２ａ，１２ｂが設けられている。これら凹部１２ａ，１２ｂは、ＡＢＳやＰＣ−ＡＢＳ等のプラスチック樹脂よりも低硬度で且つ弾性を有するＴＰＥ（Thermoplastic-Elastomer）やＴＰＥＥ（Thermoplastic-Polyester-Elastomer）等のゴム含有プラスチック樹脂（エラストマー）を材料として構成されている。また、表面７ａには、携帯電話機１を開いた状態および閉じた状態での通話等に用いるマイクのマイク孔１３が穿設されている。このマイク孔１３は、ヒンジ支持部８ａ，８ｂが形成された端部側と反対側の端部に配置されている。
【００３２】
側面７ｂの一方には、第１の筐体２の内部に収容されるカメラ部の使用時に操作されるシャッタボタン１４が設けられている。また、シャッタボタン１４が設けられた面と相反する面となる他方の側面７ｃには、第２の機能ボタン群１５が設けられている。この第２の機能ボタン群１５に含まれる十字キー１５ａおよび決定キー１５ｂは、第１の機能ボタン群１１に含まれる十字キー１１ａおよび決定キー１１ｂと略同等の機能を有するものである。これら十字キー１１ａ，１５ａおよび決定キー１１ｂ，１５ｂは、十字キー１１ａを構成する上下左右のキーと、十字キー１５ａを構成する上下左右のキーとの対応関係、および決定キー１１ｂと決定キー１５ｂとの対応関係が分かるような形状または構成となっている。具体的には、十字キー１１ａ，１５ａを同質の材料で形成するとともに、十字キー１１ａ，１５ａを構成する下キーを特殊な形状にし、かつ色を変えている。また、決定キー１１ｂ，１５ｂを同質の材料で形成するとともに、決定キー１１ｂ，１５ｂを同じ色とし、かつ他のキーとは異なる色としている。なお、これに限定されるものではなく、十字キー１１ａと十字キー１５ａとの対応関係、決定キー１１ｂと決定キー１５ｂとの対応関係が分かればどのような形状・構成であっても良い。
【００３３】
ヒンジ部３に隣り合って位置し、回動軸５が延びる方向に延在する表面７ａのヒンジ部３側端部の両端に、表面７ａから突出するヒンジ支持部８ａ，８ｂが形成されている。また、ヒンジ支持部８ａ，８ｂを挟んで表面７ａとは反対側に回転抑止部９が形成されている。この回転抑止部９は、ヒンジ部３側端部の両端を結ぶ円弧状を成し、その頂部が外方（ヒンジ支持部８ａ，８ｂと直交する方向）に突出するように形成されている。また、回転抑止部９が形成された端面７ｄには、ＴＰＥやＴＰＥＥ等のゴム含有プラスチック樹脂（エラストマー）を材料とする第１の緩衝部材１６と、回転軸５が延びる方向に突出するアンテナ１７とが設けられている。回転抑止部９および第１の緩衝部材１６は、図２に示すように、携帯電話機１が開いたときに第２の筐体４が当接する。これにより、携帯電話機１が開いた状態での第２の筐体４の回転が規制される。アンテナ１７は、端面７ｄから回転軸５が延びる方向（ヒンジ支持部８ａ，８ｂと直交する方向）に突設されている。
【００３４】
第１の筐体２には、ヒンジ支持部８ａ，８ｂに回動自在に設けられたヒンジ部３と、ヒンジ部３に対して回転軸６を中心に回転自在に設けられた第２の筐体４とが接続されている。回転軸６は、ヒンジ支持部８ａとヒンジ支持部８ｂの中間、つまり、一対の側面８ｂ、８ｃの各々からの距離が等しい位置で回動軸５に直交している。
【００３５】
ヒンジ部３は、表面７ａ上のヒンジ支持部８ａとヒンジ支持部８ｂとの間に位置決めされている。ヒンジ部３の内部には、図示しないヒンジ装置が収容されている。そして、ヒンジ装置によって、ヒンジ部３とヒンジ支持部８ａ，８ｂとが回動自在に連結され、ヒンジ部３と第２の筐体４とが回転自在に連結されている。
【００３６】
第２の筐体４は、略矩形形状の表面４ａを有し、その表面４ａには、ヒンジ部３側端部と反対側の端部に、回動軸５と平行に一対の第１の凸部１８ａ，１８ｂが形成される。この第１の凸部１８ａ，１８ｂは、図５に示すように、携帯電話機１を閉じたときに、凹部１２ａ，１２ｂに係合する位置に形成されている。また、表面４ａには、携帯電話機１を開いた状態での通話等に用いるレシーバのための第１のレシーバ孔１９と、携帯電話機１を閉じた状態での通話等に用いるレシーバのための第２のレシーバ孔２０が穿設される。この第１のレシーバ孔１９は、ヒンジ部３側端部と反対側の端部に形成され、第２のレシーバ孔２０は、ヒンジ部３側端部に形成される。さらに、表面４ａには、第１の表示部２１と第３の機能ボタン群２２とが設けられている。第１の表示部２１は、液晶ディスプレイやＥＬ（electro luminescent）ディスプレイ等によって構成されており、表示ドライバ部を介して与えられる画像データに基づいて画像を表示する。第３の機能ボタン群２２は、主に第１の表示部２１を外側にして携帯電話機１を閉じたときに用いられる。
【００３７】
このように、第１の表示部２１が内面に閉塞されるよう携帯電話機１を閉じた状態で、第２の筐体４に形成された第１の凸部１８ａ，１８ｂと、第１の筐体２に設けられた凹部１２ａ，１２ｂとが係合する。これにより、第１および第２の筐体２，４との間に生じるガタを抑制することができる。
【００３８】
また、第２の筐体４は、表面４ａと相反する面に裏面４ｂを有し、その裏面４ｂには、ヒンジ部３側端部と反対側の端部に、回動軸５と平行に一対の第２の凸部２３ａ，２３ｂが形成される。この第２の凸部２３ａ，２３ｂは、携帯電話機１を閉じたときに、凹部１２ａ，１２ｂに係合する位置に形成されている。また、裏面４ｂには、第２の表示部２４が設けられている。第２の表示部２４は、液晶ディスプレイやＥＬディスプレイ等によって構成されており、表示ドライバ部を介して与えられる画像データに基づいて画像を表示する。
【００３９】
また、第２の筐体４には、ヒンジ部３が連結される端部側の角部に、一対の第２の緩衝部材２５が設けられている。この第２の緩衝部材２５は、ＡＢＳやＰＣ−ＡＢＳ等のプラスチック樹脂や、プラスチック樹脂にメッキ加工を施したものよりも低硬度で且つ弾性を有するＴＰＥやＴＰＥＥ等のゴム含有プラスチック樹脂（エラストマー）を材料として構成されている。
【００４０】
さらに、第２の筐体４には、ＦｅｌｉＣａ（登録商標）等の非接触ＩＣのアンテナ（図示せず）が収容されている。この非接触ＩＣのアンテナは、第２の筐体４の周縁部に沿って配置され、表面４ａおよび裏面４ｂから外方に向かって良好な特性が得られるように構成されている。
【００４１】
つぎに、図６を参照して、表面７ａの反対側に位置するベース部７の裏面７ｅには、ヒンジ部３側端部に、撮影レンズ２６およびフラッシュ２７が並んで設けられている。フラッシュ２７は、カメラ部で撮影する際の補助光源として使われる。一般的には、補助光源にはキセノン管が用いられ、また最近では、ＲＧＢのＬＥＤ（light emitting diode）が用いられている。これらＬＥＤを同時発光させることによって、白色光の照明を得ることができる。裏面７ｅには、撮影レンズ２６の近傍に、着信メロディ等の音声の出力に用いるスピーカのためのスピーカ孔２８が並んで設けられている。
【００４２】
図７は、図１中の携帯電話機１の分解組立図である。図中には、開いた状態の携帯電話機１が裏面７ｅおよび４ｂ側から示されている。図７を参照して、第１の筐体２は、表面７ａを有するキャビネット２ｐと、裏面７ｅを有する背面キャビネット２ｑとから構成されている。第２の筐体４は、表面４ａを有するキャビネット４ｐと、裏面４ｂを有する背面キャビネット４ｑとから構成されている。
【００４３】
ヒンジ部３は、キャビネット３ｐと背面キャビネット３ｑとから構成されている。キャビネット３ｐと背面キャビネット３ｑとは、内部にヒンジ装置２９を収容して組み合わされる。
【００４４】
ヒンジ装置２９は、第１の筐体２とヒンジ部３とを回動自在に連結する第１のヒンジ機構３０と、ヒンジ部３と第２の筐体とを回転自在に連結する第２のヒンジ機構３１とから構成されている。
【００４５】
第１のヒンジ機構３０は、携帯電話機１が閉じた状態（第１の状態）での第１の筐体２に対するヒンジ部３および第２の筐体４の角度を０度、携帯電話機１を開いた状態（第２の状態）での第１の筐体２に対するヒンジ部３および第２の筐体４の角度を１７０度としたとき、０度ならびに１７０度および０度と１７０度の間に位置する１２０度の状態（第３の状態）を保持するよう引き込みが行われるとともに、この角度でクリック感が得られるように構成している。なお、携帯電話機１を開いた状態（第２の状態）における第１の筐体２に対するヒンジ部３ならびに第２の筐体４の角度については、１７０度に限定するものではなく、携帯電話機１を開いた状態（第２の状態）において、マイク孔１３と第１のレシーバ１９とが通話を行う際に適した距離となる状態となれば良く、これらは携帯電話機１の大きさやマイク孔１３および第１のレシーバ孔１９の位置によって決まる。また、携帯電話機１が閉じた状態（第１の状態）と携帯電話機１を開いた状態（第２の状態）との間に位置する状態（第３の状態）における第１の筐体２に対するヒンジ部３ならびに第２の筐体４の角度については、１２０度に限定するものではなく、携帯電話機１を開いた状態（第２の状態）において、第１の表示部２１を視認するのに適した角度となる状態となれば良く、これらは携帯電話機１の大きさや第１の表示部２１の位置によって決まる。
【００４６】
第２のヒンジ機構３１は、携帯電話機１を閉じたときに第１の表示部２１が閉塞される状態でのヒンジ部３に対する第２の筐体４の角度を０度、携帯電話機１を閉じたじときに第１の筐体２１が開放される状態でのヒンジ部３に対する第２の筐体４の角度を１８０度としたとき、回転範囲を０度から１８０度までとし、０度および１８０度の状態を保持するよう引き込みが行われるとともに、この角度でクリック感が得られるように構成している。
【００４７】
したがって、図１および図２に示すように、第２の筐体４を第１の筐体２およびヒンジ部３に対して回転させずに携帯電話機１を開いた状態（第２の筐体４をヒンジ部３に対して０度に回転し、ヒンジ部３を第１の筐体２に対して１７０度回動した状態）では、第２の筐体４が回転抑止部９および第１の緩衝部材１６に当接する。これにより、携帯電話機１が開いた状態での第２の筐体４の回転が規制される。そのため、携帯電話機１を開いた状態での通話中に、ユーザの頭部に第２の筐体４が当接した場合にも、不用意に第２の筐体４が回転する恐れがなく、通話を阻害することがなくなる。
【００４８】
また、図３ないし図５に示すように、第２の筐体４を第１の筐体２およびヒンジ部３に対して回転させずに携帯電話機１を閉じた状態（第２の筐体４をヒンジ部３に対して０度に回転し、ヒンジ部３を第１の筐体２に対して０度に回動した状態）では、携帯電話機１は、第２の筐体４に形成された第２の凸部２３ａ，２３ｂが凹部１２ａ，１２ｂに係合する。これにより、第１の表示部２１が外面に開放されるよう携帯電話機１を閉じた状態で、第１および第２の筐体２，４との間に生じるガタを抑制することができる。そのため、携帯電話機１を持ち運ぶ際に第１の表示部２１に傷が付くことを抑制することができる。
【００４９】
さらに、このような状態で、第２の筐体４に形成された第２の凸部２３ａ，２３ｂは、裏面４ｂから突出する。そのため、第２の筐体４に収容された非接触ＩＣのアンテナを用いて、カードリーダ（相手側端末）との通信を行う場合に、携帯電話機１を近付け過ぎた場合にも、カードリーダ（相手側端末）には、第２の凸部２３ａ，２３ｂが接触する。これにより、第２の筐体４の裏面４ｂがカードリーダ（相手側端末）に直接接触することがなくなり、第２の筐体４の傷つきや破壊を抑制することができる。
【００５０】
図８ないし図１０は、ヒンジ部３および第２の筐体４を第１の筐体に対して１２０度回動させた状態で第２の筐体４を第１の筐体２およびヒンジ部３に対して回転させた場合の携帯電話機１を示す斜視図である。図８を参照して、携帯電話機１を図１または図３の状態から１２０度開いた状態（第２の筐体４をヒンジ部３に対して０度回転し、ヒンジ部３を第１の筐体２に対して１２０度回動した状態）では、第２の筐体４は、第１の表示部２１が設けられた表面４ａと、入力ボタン群１０および機能ボタン群１１が設けられた表面７ａとが同一方向に向くように位置決めされる。
【００５１】
図９を参照して、第２の筐体４を回転軸６を中心に図８に示す状態から９０度だけ回転した状態（第２の筐体４をヒンジ部３に対して９０度回転し、ヒンジ部３を第１の筐体２に対して１２０度回動した状態）では、第２の筐体４は、第１の表示部２１が設けられた表面４ａと、入力ボタン群１０および機能ボタン群１１が設けられた第１の筐体２の表面７ａとが直交するように位置決めされる。
【００５２】
図１０を参照して、第２の筐体４を回転軸６を中心に図９に示す状態からさらに９０度だけ回転させた状態（第２の筐体４をヒンジ部３に対して１８０度回転し、ヒンジ部３を第１の筐体２に対して１２０度回動した状態）では、第２の筐体４は、第１の表示部２１が設けられた表面４ａと第１の筐体２の裏面７ｅとが同一方向を向き、第２の筐体４の裏面４ｂと第１の筐体２の表面７ａとが同一方向を向くように位置決めされる。なお、図８ないし図１０に示す状態のみならず、第２の筐体４を回転軸６を中心に適当な角度だけ回転させることによって、第２の筐体４の表面４ａに設けられた第１の表示部２１を所望の方向に向けることができる。
【００５３】
このように、第２の筐体４を第１の筐体に対して１２０度回動させた状態で第２の筐体４をヒンジ部３に対して回転させることにより、その回転によって、第２の筐体４がアンテナ１７と接触することがなく、また第２の筐体４の角部が第１の筐体２の表面７ａや第１の機能ボタン群１１とも接触することがない。そのため、第１ならびに第２の筐体２，４、第１の機能ボタン群１１およびアンテナ１７の傷つきを防止することができる。また、ヒンジ装置２９は、第１の筐体２に対するヒンジ部３および第２の筐体４の角度として１２０度の状態を保持するよう引き込みを行う。そのため、ユーザは、第１ならびに第２の筐体２，４、第１の機能ボタン群１１およびアンテナ１７を傷つけずに第２の筐体４を回転させることができる位置を容易に認識することができる。これにより、第１ならびに第２の筐体２，４、第１の機能ボタン群１１およびアンテナ１７の傷つきをより一層防止することができる。
【００５４】
また、図８に示すように、裏面７ｅを下にして第１の筐体２を載置したとき、第１の表示部２１の表示面が斜め上方向を向く。そのため、第１の筐体２を載置した状態で、第１の表示部２１の視認性が良くなる。さらに、第１の表示部２１の近傍に撮影レンズを配置し、この撮影レンズを介して撮影された画像を通話相手に送信するよう構成することにより、第１の筐体２を載置した状態で、テレビ電話を最適な状態で行うことができる。
【００５５】
図１１および図１２は、第２の筐体４を第１の筐体２およびヒンジ部３に対して回転させている途中で、ヒンジ部３および第２の筐体４を第１の筐体に対して回動させた場合の携帯電話機１を示す斜視図である。図１１を参照して、第２の筐体４の回転途中で携帯電話機１を開いた状態（第２の筐体４をヒンジ部３に対して１３５度回転し、ヒンジ部３を第１の筐体２に対して開成方向に回動した状態）では、第２の筐体４のヒンジ部３側端部が第１の緩衝部材１６と接触する。これにより、第２の筐体４とアンテナ１７との接触を防止し、第２の筐体４およびアンテナ１７の傷つきを防止することができる。
【００５６】
また、第１の緩衝部材１６は、回転抑止部９と同様、ヒンジ部３側端部の両端を結ぶ円弧状を成し、頂部が外方に突出するような形成である。そのため、第１の筐体２に対するヒンジ部３および第２の筐体４の角度が１７０度の状態を保持するよう引き込みが行われている状態で、第２の筐体２をヒンジ部３に対して回転させた場合にも、第２の筐体２は、アンテナ１７と接触することなく、第１の緩衝部材１６の周縁に沿って回転される。しかも、第１の緩衝部材１６は、第２の筐体４よりも低硬度の材質によって構成されているため、第２の筐体４に傷が付くことも防止することができる。
【００５７】
図１２を参照して、第２の筐体４の回転途中で携帯電話機１を閉じた状態（第２の筐体４をヒンジ部３に対して９０度回転し、ヒンジ部３を第１の筐体２に対して閉成方向に回動した状態）では、第１の機能ボタン群１１を構成する決定キー１１ｂに第２の緩衝部材２５が接触する。これにより、第２の筐体４と第１の機能ボタン群１１および表面７ａとの接触によるキーの破壊や第１の筐体の傷つきを抑制することができる。
【００５８】
このような構成により、ヒンジ装置２９として、第１および第２のヒンジ機構３０，３１の可動を相互に規制する必要のない、構造が単純で比較的小型なヒンジ装置を用いることができる。これにより、携帯電話機１の小型化を図ることができる。
【００５９】
図１３および図１４は、第２の筐体４を第１の筐体２およびヒンジ部３に対して回転させた状態で、ヒンジ部３および第２の筐体４を第１の筐体に対して回動させた場合の携帯電話機１を示す斜視図である。図１３を参照して、第２の筐体４を第１の筐体２およびヒンジ部３に対して回転させて携帯電話機１を開いた状態（第２の筐体４をヒンジ部３に対して１８０度回転し、ヒンジ部３を第１の筐体２に対して１７０度回動した状態）では、第２の筐体４は、第１の表示部２１が設けられた表面４ａと第１の筐体２の裏面７ｅとが同一方向を向き、第２の筐体４の裏面４ｂと第１の筐体２の表面７ａとが同一方向を向くように位置決めされる。そのため、ユーザは、ユーザが自分の姿を撮影する場合、撮影レンズ１８を自分に向けながら、第１の表示部１４に映し出された自分の姿を確認することができる。
【００６０】
また、このような状態でも、回転抑止部９および第１の緩衝部材１６は、図２に示す場合と同様に、第２の筐体４が当接し、これにより、携帯電話機１が開いた状態での第２の筐体４の回転が規制される。そのため、携帯電話機１を開いた状態での撮影中に、不用意に第２の筐体４が回転する恐れがなくなる。
【００６１】
図１４を参照して、第２の筐体４を第１の筐体２およびヒンジ部３に対して回転させて携帯電話機１を閉じた状態（第２の筐体４をヒンジ部３に対して１８０度回転し、ヒンジ部３を第１の筐体２に対して０度に回動した状態）では、携帯電話機１は、第１の表示部２１および第３の機能ボタン群２２が設けられた表面４ａが外側を向き、裏面４ｂが内側を向くように閉じられる。これにより、この場合、ユーザは、たとえばシャッタボタン１４に右手の人差し指を掛け、第２の機能ボタン群１５に左手の親指を、第３の機能ボタン群２２に右手の親指を置き、両手で携帯電話機１を把持した状態で撮影を行なうことができる。このように携帯電話機１を専用のデジタルカメラのようにして構えることができるとともに、カメラ撮影のための各種設定を第２および第３の機能ボタン群１５，２２を用いて行えるため、カメラとして用いる際の携帯電話機１の使い勝手を向上させることができる。
【００６２】
また、このような状態でも、第２の筐体４に形成された第２の凸部２３ａ，２３ｂは、図５に示す場合と同様に、凹部１２ａ，１２ｂに係合する。これにより、第１の表示部２１が外面に開放されるよう携帯電話機１を閉じた状態で、第１および第２の筐体２，４との間に生じるガタを抑制することができる。そのため、カメラとして用いる際の携帯電話機１の使い勝手をより向上させることができる。
【００６３】
さらに、このような状態で、第２の筐体４に形成された第１の凸部１５ａ，１５ｂは、表面４ａから突出する。そのため、第２の筐体４に収容された非接触ＩＣのアンテナを用いて、カードリーダ（相手側端末）との通信を行う場合に、携帯電話機１を近付け過ぎた場合にも、カードリーダ（相手側端末）には、第１の凸部１５ａ，１５ｂが接触する。これにより、第１の表示部２１がカードリーダ（相手側端末）に直接接触することがなくなり、第１の表示部２１の傷つきや破壊を抑制することができる。
【００６４】
次に、図１５を参照して、携帯電話機１の電気的構成を説明する。携帯電話機１は、アンテナ１７、無線部３３、通信制御部３４、スピーカ駆動制御部３５、第１のレシーバ３６、第２のレシーバ３７、スピーカ３８、送話制御部３９、マイク４０、表示制御部４１、第１の表示部２１、第２の表示部２４、操作入力部４２、入力ボタン群１０、第１の機能ボタン群１１、シャッタボタン１４、第２の機能ボタン群１５、第３の機能ボタン群２２、カメラ部４３、画像制御部４４、光源制御部４５、フラッシュ２７、記憶部４６、第１のホール素子４７、第２のホール素子４８、状態検出制御部４９および主制御部５０によって構成されている。
【００６５】
無線部３３は、アンテナ１７を介して基地局との間でやり取りされる通信データの送受信処理を行っている。この無線部３３では、ラジオ放送やテレビ放送を受信することができる。通信制御部３４は、各種通信の制御を行っている。例えば、ラジオ放送やテレビ放送の受信制御や、ウエブサイトにおけるアプリケーションプログラム（例えば、ゲームプログラム等）をウエブサーバーからダウンロードするための送受信制御、発信時における発呼制御、通話制御、着信時における着呼制御、電子メールの送受信制御が行われる。
【００６６】
スピーカ駆動制御部３５は、音声出力時において第１および第２のレシーバ３６，３７やスピーカ３８を駆動する制御を行っている。この第１および第２のレシーバ３６，３７の駆動の切り替えは、状態検出制御部４９による端末状態の検出結果や、携帯電話機１の各種機能の使用状態に基づいて行われる。また、第１のレシーバ３６は、第１のレシーバ孔１９の近傍の回路基板上に配置され、第２のレシーバ３７は、第２のレシーバ孔２０の近傍の回路基板上に配置される。
【００６７】
送話制御部３９は、通話時にマイク４０から入力される音声信号のゲイン制御を行っている。このマイク４０のゲイン切り替えは、状態検出制御部４９による端末状態の検出結果や、携帯電話機１の各種機能の使用状態に基づいて行われる。また、マイク４０は、マイク孔１３の近傍の回路基板上に配置される。
【００６８】
表示制御部４１は、第１および第２の表示部２１，２４に表示する内容を切り替える制御を行っている。この画面表示の切り替えは、状態検出制御部４９による端末状態の検出結果等に基づいて行われる。操作入力部４２は、入力ボタン群１０および第１ないし第３の機能ボタン群１１，１５，２２ならびにシャッタボタン１４におけるキー操作に基づいて入力処理を行っている。この入力処理の有効／無効切り替えは、状態検出制御部４９による端末状態の検出結果や、携帯電話機１の各種機能の使用状態に基づいて行われる。
【００６９】
画像制御部４４はカメラ部４３からの撮像データや記憶部４６から読み出された画像データを表示用データに展開したりＪＰＥＧデータに圧縮する制御を行っている。光源制御部４５はフラッシュ２７の発光制御を行っている。
【００７０】
状態検出制御部４９は、携帯電話機１がいずれの端末状態にあるのかの検出を行う状態検出手段である。すなわち、第１および第２のホール素子４７，４８のオンオフに基づいて、携帯電話機１が閉じているかどうか、また第２の筐体４がヒンジ部３に対して０度の状態にあるのかが判別される。これにより、端末状態が自動的に検出されるので、音声入力のゲイン切り替え、音声出力の切り替え、画像表示の切り替え、回転または開閉に伴う音声出力等を自動的に行わせることができる。なお、第１および第２のホール素子４７，４８は、第１または第２の筐体２，４あるいはヒンジ部３に設けられ、第１および第２のホール素子４７，４８に対向する他の筐体に設けられたマグネットからの磁力を検知することでオンオフするようになっている。
【００７１】
図１６および図１７を参照して、携帯電話機１の開閉動作および第２の筐体４の回転動作に伴う表示内容の切り替え、入力処理の有効／無効切り替え、音声入力のゲイン切り替え、および音声出力の切り替え等の制御動作を説明する。
【００７２】
電源ＯＮ時（待受時、通話時、テレビ視聴時等）において、主制御部５０は、状態検出部４９からの検出信号を監視している。この状態で、状態検出部４９が携帯電話機１の状態変化を検出すると、主制御部５０は状態検出部４９からの検出信号に基づいて表示内容の切り替え、入力処理の有効／無効切り替え、音声入力のゲイン切り替え、および音声出力の切り替え等の制御を行う。
【００７３】
これらの具体的な制御動作として、まず、携帯電話機１の開閉操作に基づく制御について説明する。
【００７４】
状態検出部５０が、携帯電話機１の開閉状態の変化を検出し（ステップＳ１）、かつ携帯電話機１が閉じられたことを検出する（ステップＳ２）と、主制御部５０は、記憶部４６に記憶された閉成メロディを再生し、スピーカ駆動制御部３５を介してスピーカ３８より放音させる（ステップＳ３）。
【００７５】
このとき（ステップＳ１ないしＳ３）、状態検出部５０が、第２の筐体４がヒンジ部３に対して０度の状態にあることを検出した場合（ステップＳ４）には、主制御部５０は、表示制御部４１を制御して、第１の表示部２１をオフ、第２の表示部２４をオン（ステップＳ５，Ｓ６）し、また操作入力部４２を制御して、第１ないし第３の機能ボタン群１１，１５，２２（入力ボタン群１０、シャッタボタン１４）のキー操作を無効とし（ステップＳ７ないしＳ９）、また送話制御部３９を制御して、マイク４０をオフし（ステップＳ１０）、さらにスピーカ駆動制御部３５を制御して、第１および第２のレシーバ３６，３７をオフする（ステップＳ１１，Ｓ１２）。なお、このとき、携帯電話機１は、図３ないし図６に示すような、第１の表示部２１が閉塞されるよう閉じられた状態となっている。
【００７６】
他方、携帯電話機１が閉じられたことを検出したとき（ステップＳ１ないしＳ３）に、状態検出部５０が、第２の筐体４がヒンジ部３に対して０度の状態にないことを検出した場合（ステップＳ４）には、主制御部５０は、表示制御部４１を制御して、第１の表示部２１をオン、第２の表示部２４をオフ（ステップＳ１３，Ｓ１４）し、また操作入力部４２を制御して、第１の機能ボタン群１１（入力ボタン群１０）のキー操作を無効、第２および第３の機能ボタン群１５，２２（シャッタボタン１４）のキー操作を有効とし（ステップＳ１５ないしＳ１７）、また送話制御部３９を制御して、マイク４０をゲインアップした状態でオンし（ステップＳ１８）、さらにスピーカ駆動制御部３５を制御して、第１のレシーバ３６をオフ、第２のレシーバ３７をオンする（ステップＳ１９，Ｓ２０）。なお、このとき、携帯電話機１は、図１４に示すような、第１の表示部２１が開放されるよう閉じられた状態となっており、第１の表示部２１には、ヒンジ部３が上になるように画像または文字が表示される。
【００７７】
また、状態検出部５０が、携帯電話機１の開閉状態の変化を検出し（ステップＳ１）、かつ携帯電話機１が開かれたことを検出する（ステップＳ２）と、主制御部５０は、記憶部４６に記憶された開成メロディを再生し、スピーカ駆動制御部３５を介してスピーカ３８より放音させる（ステップＳ２１）。
【００７８】
このとき（ステップＳ１，Ｓ２，Ｓ２１）、状態検出部５０が、第２の筐体４がヒンジ部３に対して０度の状態にあることを検出した場合（ステップＳ２２）には、主制御部５０は、表示制御部４１を制御して、第１の表示部２１をオン、第２の表示部２４をオフ（ステップＳ２３，Ｓ２４）し、また操作入力部４２を制御して、第１の機能ボタン群１１（入力ボタン群１０、シャッタボタン１４）をオン、第２および第３の機能ボタン群１５，２２のキー操作を無効とし（ステップＳ２５ないしＳ２７）、また送話制御部３９を制御して、マイク４０をオンし（ステップＳ２８）、さらにスピーカ駆動制御部３５を制御して、第１のレシーバ３６をオン、第２のレシーバ３７をオフする（ステップＳ２９，Ｓ３０）。なお、このとき、携帯電話機１は、図１、図２および図８に示すような、第１の表示部２１と第１の機能ボタン群１１とが略平行に位置するよう開かれた状態となっており、第１の表示部２１には、ヒンジ部３が下になるように画像または文字が表示される。
【００７９】
他方、携帯電話機１が開かれたことを検出したとき（ステップＳ１，Ｓ２，Ｓ２１）に、状態検出部５０が、第２の筐体４がヒンジ部３に対して０度の状態にないことを検出した場合（ステップＳ２２）には、主制御部５０は、表示制御部４１を制御して、第１の表示部２１をオン、第２の表示部２４をオフ（ステップＳ１３，Ｓ１４）し、また操作入力部４２を制御して、第１の機能ボタン群１１（入力ボタン群１０）のキー操作を無効、第２および第３の機能ボタン群１５，２２（シャッタボタン１４）のキー操作を有効とし（ステップＳ１５ないしＳ１７）、また送話制御部３９を制御して、マイク４０をゲインアップした状態でオンし（ステップＳ１８）、さらにスピーカ駆動制御部３５を制御して、第１のレシーバ３６をオフ、第２のレシーバ３７をオンする（ステップＳ１９，Ｓ２０）。なお、このとき、携帯電話機１は、図９ないし図１３に示すような、第１の表示部２１と第１の機能ボタン群１１とが平行とはならない状態で開かれた状態となっており、第１の表示部２１には、ヒンジ部３が上になるように画像または文字が表示される。また、これらの設定は、開閉検出前の設定と同じであるため、これら設定動作を省略するようにしても良い。
【００８０】
次に、第２の筐体の回転操作に基づく動作制御を説明する。
【００８１】
状態検出部５０が、第２の筐体４の回転状態の変化を検出し（ステップＳ３１）、かつ第２の筐体４がヒンジ部３に対して０度の状態にあることを検出する（ステップＳ３２）と、主制御部５０は、記憶部４６に記憶された回転終了メロディを再生し、スピーカ駆動制御部３５を介してスピーカ３８より放音させる（ステップＳ３３）とともに、表示制御部４１を制御して、第１の表示部２１をオン、第２の表示部２４をオフ（ステップＳ２３，Ｓ２４）し、また操作入力部４２を制御して、第１の機能ボタン群１１（入力ボタン群１０、シャッタボタン１４）をオン、第２および第３の機能ボタン群１５，２２のキー操作を無効とし（ステップＳ２５ないしＳ２７）、また送話制御部３９を制御して、マイク４０をオンし（ステップＳ２８）、さらにスピーカ駆動制御部３５を制御して、第１のレシーバ３６をオン、第２のレシーバ３７をオフする（ステップＳ２９，Ｓ３０）。なお、このとき、携帯電話機１は、図１、図２および図８に示すような、第１の表示部２１と第１の機能ボタン群１１とが略平行に位置するよう開かれた状態となっており、第１の表示部２１には、ヒンジ部３が下になるように画像または文字が表示される。
【００８２】
また、状態検出部５０が、第２の筐体４の回転状態の変化を検出し（ステップＳ３１）、かつ第２の筐体４がヒンジ部３に対して０度の状態にないことを検出する（ステップＳ３２）と、主制御部５０は、記憶部４６に記憶された回転開始メロディを再生し、スピーカ駆動制御部３５を介してスピーカ３８より放音させる（ステップＳ３４）とともに、表示制御部４１を制御して、第１の表示部２１をオン、第２の表示部２４をオフ（ステップＳ３５，Ｓ３６）し、また操作入力部４２を制御して、第１の機能ボタン群１１（入力ボタン群１０）のキー操作を無効、第２および第３の機能ボタン群１５，２２（シャッタボタン１４）のキー操作を有効とし（ステップＳ３７ないしＳ３９）、また送話制御部３９を制御して、マイク４０をオンし（ステップＳ４０）、さらにスピーカ駆動制御部３５を制御して、第１のレシーバ３６をオン、第２のレシーバ３７をオフする（ステップＳ４１，Ｓ４２）。なお、このとき、携帯電話機１は、図９ないし図１３に示すような、第１の表示部２１と第１の機能ボタン群１１とが平行とはならない状態で開かれた状態となっており、第１の表示部２１には、ヒンジ部３が上になるように画像または文字が表示される。また、これらの設定のうち、通話に関する設定については、回転検出前の設定と同じであるため、これら設定動作を省略するようにしても良い。
【００８３】
したがって、このような動作制御によれば、図９ないし図１４に示すような、第２の筐体４がヒンジ部３に対して回転している状態において、第１の機能ボタン群１１のキー操作を無効となる。そのため、図１２に示すように、第２の筐体４の回転途中で携帯電話機１が閉じられ（第２の筐体４をヒンジ部３に対して９０度回転し、ヒンジ部３を第１の筐体２に対して閉成方向に回動し）、第１の機能ボタン群１１を構成する決定キー１１ｂに第２の緩衝部材２５が接触し、決定キー１１ｂがキー操作された場合にも、当該決定キー１１ｂのキー操作は無効となる。これにより、ユーザの意図しない機能が実行されることを防止することができる。
【００８４】
また、上述のような動作制御によれば、図９ないし図１４に示すような、第２の筐体４がヒンジ部３に対して回転している状態において、第２および第３の機能ボタン群１５，２２のキー操作が有効になる。そのため、図１３に示すように、第２の筐体４を第１の筐体２およびヒンジ部３に対して回転させて携帯電話機１を開いた場合（第２の筐体４をヒンジ部３に対して１８０度回転し、ヒンジ部３を第１の筐体２に対して１７０度回動した場合）にも、第２および第３の機能ボタン群１５，２２を用いて各種機能を実行することができる。これにより、ユーザの意図しない機能が実行されることを防止することができつつ、ユーザは、撮影レンズ１８を自分に向けながら、第１の表示部１４に映し出された自分の姿を確認し、撮影することができる。また、図１４に示すように、第２の筐体４を第１の筐体２およびヒンジ部３に対して回転させて携帯電話機１を閉じた状態（第２の筐体４をヒンジ部３に対して１８０度回転し、ヒンジ部３を第１の筐体２に対して０度に回動した状態）にも、第２および第３の機能ボタン群１５，２２を用いて各種機能を実行することができる。そのため、ユーザは、携帯電話機１を開いた状態と殆ど代わらないキー操作で各種機能を実行することができる。これにより、携帯電話機１の使い勝手を向上することができる。
【００８５】
また、上述のような動作制御によれば、図１および図２ならびに図８に示すような、第２の筐体４がヒンジ部３に対して回転せずに携帯電話機１が開いている状態から、図９ないし図１３に示すような、携帯電話機１が開いていて第２の筐体４がヒンジ部３に対して回転している状態に移行する際に、回転開始メロディが再生される。そのため、図１および図２に示すように、第２の筐体４を第１の筐体２およびヒンジ部３に対して回転させずに携帯電話機１を開いた状態（第２の筐体４をヒンジ部３に対して０度に回転し、ヒンジ部３を第１の筐体２に対して１７０度回動した状態）での通話中に、ユーザの頭部に第２の筐体４が当接し、第２の筐体４がヒンジ部３に対して回転した場合にも、ユーザは、回転開始メロディの再生によって、第２の筐体４がヒンジ部３に対して回転したことを即座に認識することができる。これにより、通話を阻害することがなくなる。
【００８６】
さらに、上述のような動作制御によれば、図９ないし図１３に示すような、第２の筐体４がヒンジ部３に対して回転せずに携帯電話機１が開いている状態において、通話に関する設定は、前の端末状態に基づく設定が維持される。そのため、図１および図２に示すように、第２の筐体４を第１の筐体２およびヒンジ部３に対して回転させずに携帯電話機１を開いた状態（第２の筐体４をヒンジ部３に対して０度に回転し、ヒンジ部３を第１の筐体２に対して１７０度回動した状態）での通話中に、ユーザの頭部に第２の筐体４が当接し、第２の筐体４がヒンジ部３に対して回転した場合にも、第１のレシーバ３６およびマイク４０を用いて通話を継続することができる。これにより、通話を阻害することがなくなる。また、図１４に示すような、第２の筐体４を第１の筐体２およびヒンジ部３に対して回転させて携帯電話機１を閉じた状態（第２の筐体４をヒンジ部３に対して１８０度回転し、ヒンジ部３を第１の筐体２に対して０度に回動した状態）での通話中に、ヒンジ装置２９の劣化によって携帯電話機１が少し開いてしまうような場合にも、第２のレシーバ３７およびマイク４０を用いて通話を継続することができる。これにより、通話を阻害することがなくなる。
【００８７】
なお、本実施の形態では、折り畳み型の携帯電話機１について説明を行なったが、本発明による携帯機器はこれに限定されない。携帯機器は、たとえば、ＰＤＡ（personal digital assistants）、ノート型パソコンおよびワードプロセッサ等であってもよい。
【００８８】
また、今回開示された実施の形態はすべての点で例示であって制限的なものではないと考えられるべきである。本発明の範囲は前述した説明ではなくて特許請求の範囲によって示され、特許請求の範囲と均等の意味および範囲内でのすべての変更が含まれることが意図される。
【図面の簡単な説明】
【００８９】
【図１】本発明の実施の形態における携帯電話機の開いた状態を示す斜視図である。
【図２】図１中の携帯電話機の側面図である。
【図３】図１中の携帯電話機の閉じた状態を示す斜視図である。
【図４】図３中の携帯電話機の側面図である。
【図５】図３中のＣ−Ｃ線上に沿った断面図である。
【図６】図３中の矢印Ｂから見た携帯電話機を示す斜視図である。
【図７】図１中の携帯電話機の分解組立図である。
【図８】図１中の第２の筐体を１２０度回動させた場合の携帯電話機を示す斜視図である。
【図９】図８中の第２の筐体を回転させた場合の携帯電話機を示す別の斜視図である。
【図１０】図８中の第２の筐体を回転させた場合の携帯電話機を示すさらに別の斜視図である。
【図１１】図１中の第２の筐体を回転させた場合の携帯電話機を示す斜視図である。
【図１２】図３中の第２の筐体を回転させた場合の携帯電話機を示す斜視図である。
【図１３】図１中の第２の筐体を回転させた場合の携帯電話機を示すさらに別の斜視図である。
【図１４】図３中の第２の筐体を回転させた場合の携帯電話機を示すさらに別の斜視図である。
【図１５】図１中の携帯電話機の構成を示す機能ブロック図である。
【図１６】図１中の携帯電話機における開閉・回転検出に基づく制御動作を示すフローチャートである。
【図１７】図１中の携帯電話機における開閉・回転検出に基づく制御動作を示すフローチャートである。
【図１８】従来において、２つの回転軸を備えた折り畳み型の携帯電話機の開いた状態を示す斜視図である。
【図１９】図１８中の携帯電話機の閉じた状態を示す斜視図である。
【図２０】図１９中の矢印Ａから見た携帯電話機を示す斜視図である。
【図２１】図１８中のメイン表示部が設けられた筐体を回転させた場合の携帯電話機を示す斜視図である。
【符号の説明】
【００９０】
１    携帯電話機
２    第１の筐体
３    ヒンジ部
４    第２の筐体
５    回動軸
６    回転軸
７    ベース部
８ａ，８ｂ    ヒンジ支持部
９    回転抑止部
１０    入力ボタン群
１１    第１の機能ボタン群
１２ａ，１２ｂ    凹部
１３    マイク孔
１４    シャッタボタン
１５    第２の機能ボタン群
１６    第１の緩衝部材
１７    アンテナ
１８ａ，１８ｂ    第１の凸部
１９    第１のスピーカ孔
２０    第２のスピーカ孔
２１    第１の表示部
２２    第３の機能ボタン群
２３ａ，２３ｂ    第２の凸部
２４    第２の表示部
２５    第２の緩衝部材
２６    撮影レンズ
２７    フラッシュ
２８    スピーカ孔
【図１】
2005277627.tif 000003
【図２】
2005277627.tif 000004
【図３】
2005277627.tif 000005
【図４】
2005277627.tif 000006
【図５】
2005277627.tif 000007
【図６】
2005277627.tif 000008
【図７】
2005277627.tif 000009
【図８】
2005277627.tif 000010
【図９】
2005277627.tif 000011
【図１０】
2005277627.tif 000012
【図１１】
2005277627.tif 000013
【図１２】
2005277627.tif 000014
【図１３】
2005277627.tif 000015
【図１４】
2005277627.tif 000016
【図１５】
2005277627.tif 000017
【図１６】
2005277627.tif 000018
【図１７】
2005277627.tif 000019
【図１８】
2005277627.tif 000020
【図１９】
2005277627.tif 000021
【図２０】
2005277627.tif 000022
【図２１】
2005277627.tif 000023